(57)【要約】      （修正有）【課題】図面の参照や事前登録を必要とすることなく、監視カメラの監視画像から電気錠の操作に必要な情報を生成して簡単且つ確実に遠隔による操作を可能とする入退出管理設備と監視カメラ設備を連携させた連携監視設備を提供する。【解決手段】入退出管理設備は施設の出入口に設けられた扉１０の電気錠１２を制御する。監視カメラ設備は、電気錠１２が設けられた施設の扉１０を含む監視領域Ａ１〜Ａｎを監視カメラ１８により撮像して監視している。監視カメラ１８で監視している扉１０には扉名称や電気錠アドレスを含む扉管理情報が符号化された二次元コード１５が設けられている。監視カメラ制御装置２６は、監視カメラ１８で撮像された扉１０の二次元コード１５から扉名称や電気錠番号を解読して扉１０の監視画像と共に画面表示させる。【選択図】図１
2018191019.tif 000002
【特許請求の範囲】
【請求項１】
施設の出入口に設けられた扉の電気錠を制御する入退出管理設備と前記施設の出入口に設けられた前記扉を含む監視領域を監視カメラにより撮像して監視する監視カメラ設備とを連携させた連携監視設備に於いて、
前記扉又は扉近傍に設けられ、所定の扉管理情報が格納された情報体と、
前記監視カメラにより撮像された監視画像の中の前記情報体から前記扉管理情報を復元して前記監視画像と共に画面表示させる制御部と、
が設けられたことを特徴とする連携監視設備。
【請求項２】
請求項１記載の連携監視設備に於いて、
前記情報体に格納される前記扉管理情報は扉名称及び電気錠アドレスを含み、
前記監視画像から復元されて前記監視画面画像に画面表示される前記扉管理情報は少なくとも前記扉名称を含むことを特徴とする連携監視設備。
【請求項３】
請求項１記載の連携監視設備に於いて、
前記情報体は前記扉管理情報をコード化した二次元コード情報であって、
前記二次元コード情報はＱＲコード（登録商標）であることを特徴とする防災設備の処置情報提供システム。
【請求項４】
請求項１記載の連携監視設備に於いて、
前記制御部は、前記監視カメラにより撮像された監視画像の中の複数の前記扉の前記情報体から前記扉管理情報を復元した場合、前記監視画像の中の複数の扉に対応して前記扉管理情報を画面表示させることを特徴とする連携警報設備。
【請求項５】
請求項１記載の連携監視設備に於いて、
前記制御部は、前記電気錠アドレスに対応して前記電気錠の施錠又は解錠を示す動作状態を画面表示させることを特徴とする連携監視設備。
【請求項６】
請求項１記載の連携監視設備に於いて、前記制御部は、前記電気錠の施錠コマンド及び解錠コマンドを画面表示し、前記施錠コマンドの画面操作を検出した場合に前記電気錠を施錠させ、前記解錠コマンドの画面操作を検出した場合に前記電気錠を解錠させることを特徴とする連携監視設備。
【請求項７】
請求項６記載の連携監視設備に於いて、前記制御部は、前記電気錠の制御情報として、更に、一時解錠コマンドを画面表示し、前記一時解錠コマンドの画面操作を検出した場合に前記電気錠を所定時間のあいだ解錠させた後に施錠させることを特徴とする連携監視設備。
【請求項８】
請求項１記載の連携監視設備に於いて、
前記施設に設けられた扉には、前記扉の開閉を検出する扉検出器が設けられており、
前記制御部は、前記電気錠が解錠された状態で前記扉の開放が所定時間を超えて継続した場合又は前記電気錠が施錠された状態で前記扉の開放が検出された場合に異常を判定して報知させることを特徴とする連携監視設備。
【請求項９】
請求項１記載の連携監視設備に於いて、前記制御部は、前記情報体が設けられた前記扉を撮像する監視カメラのカメラシンボルが配置された施設地図を画面表示し、前記カメラシンボルの選択操作が検出された場合に対応する前記監視カメラの監視画像を画面表示して前記情報体に基づく前記扉管理情報を表示させることを特徴とする連携監視設備。
【請求項１０】
請求項１記載の連携監視設備に於いて、
前記情報体は可視光領域外の波長光を反射する不可視材料により形成されており、
前記監視カメラは前記可視光領域外の波長光の画像を撮像可能であることを特徴とする連携監視設備。
【請求項１１】
請求項１記載の連携監視設備に於いて、
前記制御部は、火災報知設備から火災情報信号を受信した場合に、前記監視画像と共に火災情報を画面表示させると共に前記施設の前記電気錠の全てを一斉解錠させることを特徴とする連携監視設備。
【発明の詳細な説明】
【技術分野】
【０００１】
本発明は、施設への入退出を許可された利用者によるアクセスを認識して扉の電気錠を制御する入退出管理設備と施設の出入口を監視カメラにより撮像して監視する監視カメラ設備を連携させた連携監視設備に関する。
【背景技術】
【０００２】
従来、オフィスビルなどの施設にあっては、施設の出入口の扉外側に設置したカードリーダ等の読取端末で、利用者が保有するカードから読み取った利用者ＩＤ情報を予め登録した利用者識別情報（以下(利用者ＩＤ)という）との一致を判別した場合に入退出管理制御装置に認証信号を送り、入退出管理制御装置からの制御信号により扉の電気錠を解錠する入退出管理設備を設置して関係者以外の第三者が施設内に入らないように管理している。
【０００３】
読取端末と電気錠を信号線により接続した複数の入退出制御装置に対しては管理装置を設けており、入退出を許可する多数の利用者の利用者ＩＤを管理装置で事前登録して一元的に管理しており、入退出制御装置毎に分けて管理装置から利用者ＩＤをダウンロードして読取端末に登録することで、施設に入ることを許可された利用者をそのカード読取により認識可能としている。
【０００４】
また、オフィスビルなどの施設にあっては、施設の出入口に設置された扉付近を監視カメラにより撮像し、警備室等のモニタ装置に監視画像を表示すると共に録画装置に録画させる監視カメラ設備が設置されている。
【０００５】
このような入退出管理設備と監視カメラ設備が設けられた施設にあっては、出入口に設置された扉の管理として、モニタ画面を切り替えて出入口の状況を確認しながら電気錠の遠隔操作により扉の施錠と解錠を行うようにしている。
【先行技術文献】
【特許文献】
【０００６】
【特許文献１】特開２０１０−１３３１８２号公報
【特許文献２】特開２０１３−０９１９６４号公報
【特許文献３】特開２００５−２３４８２４号公報
【発明の概要】
【発明が解決しようとする課題】
【０００７】
しかしながら、このような従来の監視カメラ設備により扉付近の監視画像を確認しながら入退出管理設備により扉の電気錠を遠隔操作するためには、監視カメラ設備に監視カメラの設置場所毎に名称やアドレスを設定し、これに対応した扉の名称や電気錠のアドレスを監視カメラ設備に登録する必要があり、扉の電気錠を遠隔にて制御する場合には、監視カメラと扉との対応関係が正しく設定された状態で、扉に設けられた電気錠のアドレスを間違いなく設定して操作する必要がある。
【０００８】
このように監視カメラ設備の監視画像を利用して扉の電気錠を指定して遠隔にて操作する場合には、設備機器一覧図や設備平面図を見て指定する方法や、電気錠のアドレスを手入力して操作する方法がある。また、監視カメラの監視画面に複数の扉が映っている場合には、それぞれの扉に設けられている電気錠のアドレスを知るためには、別途建物の平面図等による確認が必要になる。しかしながら、このように設備機器一覧図や設備平面図等により確認しながら行う操作には、手間と時間がかかり、また、操作ミスも起こし易いという問題がある。
【０００９】
この問題を解決するためには、監視カメラ設備に設けられた複数の設置場所の監視カメラのアドレスに対応して、監視画像に映っている扉の電気錠のアドレスを登録した設備連携の管理情報を予め準備し、この管理情報を画面表示することで、監視カメラ設備の監視画像で確認しながら扉の電気錠を指定して遠隔にて操作することも考えられる。
【００１０】
しかしながら、監視カメラと電気錠の対応関係を調べて正しく登録するために手間と時間がかかる。監視カメラの位置と向きから扉名称を特定するようにしたとしても、監視カメラ施工時のわずかなブレで監視カメラ画面上と実際の扉の位置関係がずれてしまったり、テナントの移動等により扉名称が変わったりすることで、監視カメラと扉名称・電気錠の対応関係を正しく維持することは困難であった。
【００１１】
また担当者の交代等により設備の運用管理に不慣れな担当者に替わった場合には、監視カメラと電気錠の対応関係を示す管理情報を見誤って操作する可能性があり、施設のセキュリティが失われたり、施設の出入りに支障を来たす問題がある。
【００１２】
本発明は、図面の参照や事前登録を必要とすることなく、監視カメラの監視画像から扉に設けている電気錠の操作に必要な情報を生成して簡単且つ確実に遠隔による操作を可能とする入退出管理設備と監視カメラ設備を連携させた連携監視設備を提供することを目的とする。
【課題を解決するための手段】
【００１３】
（連携監視設備）
本発明は、施設の出入口に設けられた扉の電気錠を制御する入退出管理設備と施設の出入口に設けられた扉を含む監視領域を監視カメラにより撮像して監視する監視カメラ設備とを連携させた連携監視設備に於いて、
扉又は扉近傍に設けられ、所定の扉管理情報が格納された情報体と、
監視カメラにより撮像された監視画像の中の情報体から扉管理情報を復元して監視画像と共に画面表示させる制御部と、
が設けられたことを特徴とする。
【００１４】
（扉管理情報）
情報体に格納される扉管理情報は扉名称及び電気錠アドレスを含み、
監視画像から復元されて監視画面画像に画面表示される扉管理情報は少なくとも扉名称を含む。
【００１５】
（二次元コード情報）
情報体は扉管理情報をコード化した二次元コード情報であって、
二次元コード情報はＱＲコード（登録商標）である。
【００１６】
（同一画面内の複数扉の監視）
制御部は、監視カメラにより撮像された監視画像の中の複数の扉の情報体から扉管理情報を復元した場合、監視画像の中の複数の扉に対応して扉管理情報を画面表示させる。
【００１７】
（電気錠の動作状態表示）
制御部は、電気錠アドレスに対応して電気錠の施錠又は解錠を示す動作状態を画面表示させる。
【００１８】
（電気錠の画面操作）
制御部は、電気錠の制御情報として施錠コマンド及び解錠コマンドを画面表示し、施錠コマンドの画面操作を検出した場合に電気錠を施錠させ、解錠コマンドの画面操作を検出した場合に電気錠を解錠させる。
【００１９】
（電気錠の一時解錠）
制御部は、電気錠の制御情報として、更に、一時解錠コマンドを画面表示し、一時解錠コマンドの画面操作を検出した場合に電気錠を所定時間のあいだ解錠させた後に施錠させる。
【００２０】
（扉の開閉検出による監視）
施設の出入口に設けられた扉には、扉の開閉を検出する扉検出器が設けられており、
制御部は、電気錠が解錠された状態で扉の開放が所定時間を超えて継続した場合又は電気錠が施錠された状態で扉の開放が検出された場合に異常を判定して報知させる。
【００２１】
（カメラシンボルによる画像切替え）
制御部は、情報体が設けられた扉を撮像する監視カメラを示すカメラシンボルが配置された施設地図を画面表示し、カメラシンボルの選択操作が検出された場合に対応する監視カメラの監視画像を画面表示して情報体に基づく扉管理情報を表示させる。
【００２２】
（二次元コード情報の不可視化）
情報体は可視光領域外の波長光を反射する不可視材料により形成されており、
監視カメラは可視光領域外の波長光の画像を撮像可能である。
【００２３】
（火災報知設備との連携）
制御部は、火災報知設備から火災情報信号を受信した場合に、監視画像と共に火災情報を画面表示させると共に施設の電気錠の全てを一斉解錠させる。
【発明の効果】
【００２４】
（基本的な効果）
本発明は施設の出入口に設けられた扉の電気錠を制御する入退出管理設備と施設の出入口に設けられた扉を含む監視領域を監視カメラにより撮像して監視する監視カメラ設備とを連携させた連携監視設備に於いて、扉又は扉近傍に設けられ、所定の扉管理情報が格納された情報体と、監視カメラにより撮像された監視画像の中の情報体から扉管理情報を復元して監視画像と共に画面表示させる制御部とが設けられたため、モニタ画面が扉の監視画面に切り替えられると、扉に設けられている情報体の解読で得られた扉管理情報が表示され、担当者は施設平面図等を調べたりすることなく、監視画面から扉の管理情報を知り、入退出管理設備による電気錠の操作等を簡単且つ誤りなく行うことができる。
【００２５】
（情報体の扉管理情報による効果）
また、情報体に格納される扉管理情報は扉名称及び電気錠アドレスを含み、監視画像から復元されて監視画面画像に画面表示される扉管理情報は少なくとも扉名称を含むようにしたため、担当者は予め登録されている監視カメラと電気錠アドレスの対応関係を表示して確認することなく、監視画面から扉名称や電気錠アドレス等を知り、入退出管理設備により電気錠を遠隔にて施錠又は解錠する操作を簡単且つ誤りなく行うことができる。
【００２６】
（二次元コード情報）
情報体は扉管理情報をコード化した二次元コード情報であって、二次元コード情報はＱＲコード（登録商標）としたため、電気錠が設けられた扉の管理に必要な十分な容量の扉管理情報をコード化して格納することができる。また、扉管理情報を格納しているため、監視カメラで扉管理情報が読み取り可能であり、扉管理情報を記憶する記憶部等にアクセスすることなく、監視カメラが扉管理情報を取得できる。これにより、監視カメラを統括するシステムを省略して監視カメラをスタンドアロンとして運用し、入退出管理設備に複数の監視カメラが接続されるような形態も可能となり、実施形態の自由度を増すことができる。
【００２７】
（同一画面内の複数扉の監視による効果）
また、制御部は、監視カメラにより撮像された監視画像の中の複数の扉の情報体から扉管理情報を復元した場合、監視画像の中の複数の扉に対応して扉管理情報を画面表示させるようにしたため、監視画像の中に複数の扉が映っている場合にも、それぞれの扉に設けられた情報体の解読で取得された扉名称と電気錠アドレス等が各扉に対応して画面表示され、担当者は監視画面を見ることで、複数の扉の中の特定の扉の電気錠を指定して遠隔にて施錠又は解錠する操作を簡単且つ誤りなく行うことができる。
【００２８】
（電気錠の制御情報による効果）
また、制御部は、電気錠アドレスに対応して電気錠の動作状態を画面表示するようにしたため、モニタ画面の監視画像の中の扉には、情報体の解読による扉名称や電気錠アドレスに加えて、施錠又は解錠を示す扉の動作状態が表示されており担当者は、扉が施錠か解錠かを確認しながら、扉の電気錠を指定して遠隔にて施錠又は解錠する操作を簡単且つ誤りなく行うことができる。
【００２９】
（電気錠の画面操作による効果）
また、制御部は、電気錠アドレスに対応して施錠コマンド及び解錠コマンドを画面表示し、施錠コマンドの画面操作を検出した場合に電気錠を施錠させ、解錠コマンドの画面操作を検出した場合に電気錠を解錠させるようにしたため、モニタ画面の監視画像の中の扉に対応して表示されている施錠コマンド又は解錠コマンドを例えばクリック操作することにより、入退出管理設備による電気錠アドレスを指定した遠隔操作を必要とすることなく、電気錠の遠隔操作を簡単且つ確実に行うことを可能とする。
【００３０】
（電気錠の一時解錠による効果）
また、制御部は、電気錠の制御情報として、更に、一時解錠コマンドを画面表示し、一時解錠コマンドの画面操作を検出した場合に電気錠を所定時間のあいだ解錠させた後に施錠させるようにしたため、モニタ画面の監視画像の中の扉に対応して表示されている一時解錠コマンドの例えばクリック操作することにより、入退出管理設備による電気錠アドレスを指定した遠隔操作を必要とすることなく、電気錠を一時解錠させる遠隔操作を簡単且つ確実に行うことを可能とする。
【００３１】
（扉の開閉検出による監視の効果）
また、施設に設けられた扉には、扉の開閉を検出する扉検出器が設けられており、制御部は、電気錠が解錠された状態で扉の開放が所定時間を超えて継続した場合又は電気錠が施錠された状態で扉の開放が検出された場合に異常を判定して報知させるようにしたため、例えば、電気錠を解錠した状態で所定時間を超えて扉の開放を検出した場合は扉が開きっぱなしになっている場合であり、異常報知に対し担当者は監視画面で状況を確認して必要な対処を行うことができる。また、扉を施錠した状態で扉の開放が検出された場合は、例えば、扉がこじ開けられたり、風圧により開いていることから、異常の報知に対し担当者は監視画面で状況を確認して必要な対処を行うことを可能とする。
【００３２】
（カメラシンボルによる画像切替えの効果）
また、制御部は、情報体が設けられた扉を撮像する監視カメラを示すカメラシンボルが配置された施設地図を画面表示し、カメラシンボルの選択操作が検出された場合に対応する監視カメラの監視画像を画面表示して情報体に基づく扉管理情報を表示させるようにしたため、規模の大きな施設であっても、扉を施錠又は解錠する場合に、モニタ画面の施設地図に示されたカメラシンボルをクリックすることで、必要とする監視カメラの監視画面に簡単且つ容易に切り替え、切り替えられた監視画面の扉に対応した扉名称と電気錠アドレスから扉の動作状態の確認や遠隔による操作が可能となる。
【００３３】
（二次元コード情報の不可視化による効果）
また、情報体は可視光領域外の波長光を反射する不可視材料により形成されており、監視カメラは可視光領域外の波長光の画像を撮像可能としたため、例えば赤外線インクにより印刷された情報体を扉に張り、赤外線カメラで監視することで、扉に配置した情報体が汚れたり、火災による煙があっても確実に解読して扉名称や電気錠アドレスを画面表示でき、また、扉の情報体は目視されないことから、施設の美観上の自由度を妨げることがない。
【００３４】
（火災報知設備との連携による効果）
また、制御部は、火災報知設備から火災情報信号を受信した場合に、監視画像と共に火災情報を画面表示させると共に施設の電気錠の全てを一斉解錠させるようにしたため、火災報知設備との連携により、火災時に出入口の状態を確認して安全な避難経路の確保や消防隊による消火活動等を適切に行うことを可能とする。
【図面の簡単な説明】
【００３５】
【図１】入退出管理設備と監視カメラ設備を連携させた連携監視設備の概略を示した説明図
【図２】監視カメラ制御装置の機能構成を示したブロック図
【図３】扉に設けた二次元コード情報の解読により扉管理情報が表示された監視画面を示した説明図
【図４】監視画面に複数の扉が映っている場合の二次元コード情報の解読による扉管理情報の表示画面を示した説明図
【図５】監視カメラの切り替えに使用するカメラ切替画面の一例を示した説明図
【図６】監視カメラ制御装置による連携監視設備の制御動作を示したフローチャート
【発明を実施するための形態】
【００３６】
［連携監視設備の概要］
図１は建物に設けられた入退出管理設備と監視カメラ設備を連携させた連携監視設備の概略を示した説明図である。
【００３７】
（入退出管理設備の概要）
図１に示すように、管理対象とする建物の出入口には扉１０が設けられており、扉１０には電気錠１２を設けられ、また扉１０の近傍にはカードリーダ１４が配置されている。なお、ホテルロビーや店舗等の利用者が自由に出入りする扉１０には、電気錠１２が設けられるが、カードリーダ１４は配置されない。更に、扉１０には開閉検出器１６が設けられている。
【００３８】
電気錠１２、カードリーダ１４及び開閉検出器１６は入退出管理制御装置２０に伝送路３８，４０，４２により接続されている。入退出管理制御装置２０は例えば建物の各階毎に配置されている。
【００３９】
建物の防災センター等には、センター装置２２とクライアント装置２４が配置され、ＬＡＮ回線３６により相互に接続されると共に各階の入退出管理制御装置２０と接続されている。
【００４０】
更に、防災センターには火災報知設備の火災受信盤３２が設けられ、火災受信盤３２からは建物内の監視区域に向けて感知器回線３５が引き出され、火災感知器３４が接続されている。火災受信盤３２は火災感知器３４の火災発報により火災発報信号を受信すると火災警報を出力すると共に火災移報信号をＬＡＮ回線３６を介して他の設備に出力する。
【００４１】
入退出管理設備の管理制御は次のようになる。カードリーダ１４は、例えば利用者の携帯する磁気カード又は非接触ＩＣカードを読取って事前登録した個人情報と照合し、照合一致により認証成功を判別した場合に認証信号を入退出管理制御装置２０へ送信する。
【００４２】
入退出管理制御装置２０はカードリーダ１４から認証信号を受信した場合、対応する出入口に設けた扉１０の電気錠１２へ制御信号を出力して解錠制御し、入室を可能とする。なお、部屋から出る場合にはカードリーダ１４による認証は必要とせず、扉内側に設けられたスイッチ釦の操作等により電気錠１２を解錠して退出することができる。
【００４３】
センター装置２２は、液晶ディスプレイ付きのパーソナルコンピュータであり、入退出管理設備を設置した建物の地図などの管理情報を表示する。クライアント装置２４はパーソナルコンピュータであり、ＬＡＮ回線３６を介して入退出管理制御装置２０と接続され、入退出管理制御装置２０を経由してカードリーダ１４との間で磁気カードや非接触ＩＣカードに対応した個人情報の登録、削除、履歴検索などの各種設定や処理を行う。
【００４４】
本実施形態にあっては、火災報知設備の火災受信盤３２で火災感知器３４からの火災発報信号を受信して火災警報を出力した場合に、火災移報信号がＬＡＮ回線３６を介してクライアント装置２４に送信される。
【００４５】
火災受信盤１２からの火災移報信号を受信したクライアント装置２４は、全ての階に設けた入退出管理制御装置２０或いは火災発生階と直上階に設けた入退出管理制御装置２０に火災移報信号を送信し、この火災移報信号を受信した入退出管理制御装置２０は全ての扉１０の電気錠１２に対し解錠制御信号を出力し、電気錠１２を自動的に一斉解錠することで、部屋の扉を開放可能な状態とし、消防活動や避難の妨げにならないようにする。
【００４６】
（監視カメラ設備の概要）
図１に示すように、建物の出入口に設けられた扉１０に対しては監視カメラ１８が設置されており、出入口の扉１０を含む監視領域Ａ１〜Ａｎを撮像している。監視領域Ａ１〜Ａｎに設けられた監視カメラ１８は録画装置２８から引き出されたケーブル伝送路４４に接続されており、撮像した動画の画像信号を録画装置２８に伝送している。
【００４７】
録画装置２８は監視カメラ１８毎に録画機能を備えており、連続的に監視画像を録画し、必要に応じて再生可能としている。録画装置２８は録画している複数の監視カメラ１８からの画像信号を選択出力する機能を備えている。
【００４８】
録画装置２８に対しては監視カメラ制御装置２６が設けられ、監視カメラ制御装置２６に液晶カラーディスプレイ等を用いたモニタ装置３０が接続されている。監視カメラ制御装置２６は例えば液晶ディスプレイ付きのパーソナルコンピュータであり、録画装置２８にカメラ切替制御信号を出力することで，複数の監視カメラ１８による画像信号を切り替えて監視カメラ制御装置２６に出力させており、これによりモニタ装置３０の監視画面を切り替え可能としている。
【００４９】
（入退出管理設備と監視カメラ設備の連携の概要）
図１に示すように、入退出管理設備と監視カメラ設備を連携させるため、入退出管理設備により電気錠１２が設けられた扉１０には、所定の扉管理情報がコード化された情報体として機能する二次元コード１５が設けられている。
【００５０】
二次元コード１５は、例えばＱＲコード（登録商標）を使用する。二次元コード１５として使用するＱＲコード（登録商標）は縦横に情報をもつ二次元コードとして知られており、数字、英字、漢字等の文字コードが格納可能であり、一次元コードとして知られたバーコードに比べ十分に大きな容量を持っている。
【００５１】
本実施形態にあっては、二次元コード１５として、扉名称、電気錠アドレス、電気錠の解錠コマンド、電気錠の施錠コマンドを含む扉管理情報をコード化したＱＲコード（登録商標）を印刷したシートを扉１０に貼り付けている。なお、二次元コード１５にコード化する扉管理情報には、解錠コマンドに代えて一時解錠コマンドをコード化しても良い。一時解錠コマンドは、電気錠を解錠して一定時間が経過した場合に施錠させるコマンドである。
【００５２】
監視カメラ制御装置２６は、録画装置２８で切り替えられた監視カメラ１８により撮像された監視画像の中に映っている二次元コード１５を解読して扉名称及び電気錠アドレスを含む扉管理情報を復元し、モニタ装置３０により監視画像の中の扉に対応して扉管理情報を表示させる。
【００５３】
［監視カメラ制御装置による扉管理情報の表示と制御］
図２は監視カメラ制御装置の機能構成を示したブロック図である。図２に示すように、監視カメラ制御装置２６は、監視制御部４６、通信部４８、モニタ入出力部５０、表示部５２、操作部５４及びデータベース５６で構成される。
【００５４】
監視制御部４６は、ＣＰＵ、メモリ、各種の入出力ポートを備えたコンピュータ回路で構成しており、プログラムの実行により所定の制御を行う。
【００５５】
通信部４８はイーサネット（登録商標）のＬＡＮ回線通信プロトコルにより録画装置２８及び図１に示したセンター装置２２、クライアント装置２４、火災受信盤３２との間でピア・ツー・ピアとなる相互に相手を特定した１対１通信により信号を送受信する。表示部５２は液晶ディスプレイである。操作部５４はキーボード、マウスを含む。更に、データベース５６には監視カメラ１０の切り替えに使用するカメラシンボルが配置された建物配置図等が格納されている。
【００５６】
監視制御部４６は、録画装置２８で切り替えられた監視カメラ１８で撮像された監視画像の中に映っている二次元コード１５を解読して扉名称及び電気錠アドレスを含む扉管理情報を復元し、モニタ装置３０により監視画像の中の扉に対応して扉管理情報を表示させる制御を行う。
【００５７】
図３は扉に設けた二次元コード情報の解読により扉管理情報が表示された監視画面を示した説明図である。図３に示すように、モニタ装置３０の監視画面６０には、監視カメラ１８により撮像された監視領域の画像（動画画像）が表示されており、電気錠１２が設けられた出入口の扉１０の内側の扉面にはシートに印刷された二次元コード１５が貼り付けられている。
【００５８】
図１の監視カメラ制御装置２６の監視制御部４６は、図３の監視画面６０の中に映っている二次元コード１５の位置を自動的に抽出して切り出し等の処理により読み出し、これを解読することにより扉管理情報として扉名称６２、電気錠アドレス６４、解錠コマンド６６及び施錠コマンド６８を復元し、扉１０に対応して例えば扉名称６２として「１階  来客口」を表示し、電気錠アドレス６４として「ＥＬ−０１−００２」を表示し、解錠コマンド６６として「［解錠］」を表示し、更に、施錠コマンド６８として「［施錠］」を表示させている。
【００５９】
ここで、監視制御部４６により自動抽出して解読可能となる監視画面６０に映っている二次元コード１５のサイズとしては、縦横２０センチメートル程度あればよく、この程度のサイズであれば扉１０に問題なく二次元コード１５を配置することができる。
【００６０】
また二次元コード１５は、監視カメラ１８が通常の空間全域を撮影するような場合においては内容を解析できないほど小さいものとし、監視員からへの表示や監視員からの操作が見込まれる場合に解析するものとしても良い。例えば、監視カメラ１８が選択されてモニタに画像表示が行われる際に、画面遷移中又は遷移直後に二次元コード１５部分をズームして解析を行い、空間全域を撮影する監視画面映像に解析結果を表示するようにしても良い。このようにすることで小さい二次元コード１５でも監視画像からの読取による解析が達成できる。
【００６１】
また、電気錠１２の動作状態となる施錠又は解錠は、解錠コマンド６６及び施錠コマンド６８となる「［解錠］」及び「［施錠］」の表示色を変えることで行う。例えば非動作状態を白文字、動作状態を赤文字で表示させる。このため「［解錠］」が白文字で「［施錠］」が赤文字であれば、電気錠１２は施錠状態にあり、「［解錠］」が赤文字で「［施錠］」が白文字であれば、電気錠１２は解錠状態にある。
【００６２】
更に、電気錠１２の動作状態を示す施錠又は解錠の情報は、図１に示した入退出管理制御装置２０が制御管理していることから、監視カメラ制御装置２６の監視制御部４６はＬＡＮ回線３６を介して入退出管理制御装置２０から電気錠１２の動作状態を取得して画面表示させる。
【００６３】
なお、電気錠１２の動作状態は、解錠コマンド６６と施錠コマンド６８の表示を利用せずに、例えば「施錠中」、「解錠中」といった表示を行うようにしても良い。
【００６４】
（同一画面内の複数扉の監視）
監視カメラ制御装置２６の監視制御部４６は、監視カメラ１８により撮像された監視画像の中の複数の扉が映っている場合、複数の扉に設けられた二次元コードから扉管理情報を復元し、監視画像の中の複数の扉に対応して復元した扉管理情報を画面表示させる制御を行う。
【００６５】
図４は監視画面に複数の扉が映っている場合の二次元コード情報の解読による扉管理情報の表示画面を示した説明図である。図４に示すように、モニタ装置３０の監視画面６０には、この例では扉１０−１，１０−２，１０−３が映っており、それぞれ二次元コード１５−１，１５−２，１５−３が設けられている。
【００６６】
このような監視画面６０をモニタ装置３０に表示した監視制御部４６は、監視画面６０の中の複数の扉１０−１〜１０−３に設けられた二次元コード１５−１〜１５−３から扉管理情報７０−１，７０−２，７０−３を復元し、監視画面６０の中の複数の扉１０−１〜１０−３に対応して復元した扉管理情報７０−１〜７０−３を画面表示させる。
【００６７】
ここで復元して表示される扉管理情報７０−１〜７０−３のそれぞれは、図３の場合と同様に、扉名称、電気錠アドレス、電気錠の解錠コマンドと施錠コマンドとなる。例えば扉管理情報７０−１の場合、扉名称は「１階  出入口Ａ」、電気錠アドレスは「ＥＬ−０１−００１」、解錠コマンドとして「［解錠］」、更に、施錠コマンドとして「［施錠］」が表示される。また、電気錠１２の動作状態となる施錠又は解錠は、解錠コマンド及び施錠コマンドとなる「［解錠］」及び「［施錠］」の表示色を変えることで行う。
【００６８】
（電気錠の施錠と解錠）
監視カメラ制御装置２６の監視制御部４６は、図３又は図４に示すように、モニタ装置３０の監視画面６０に電気錠１２の解錠コマンドとして「［解錠］」と施錠コマンドとして「［施錠］」が表示された場合、操作者による解錠コマンド又は施錠コマンドのクリック操作等が検出された場合、図１に示したＬＡＮ回線３６を介して入退出管理制御装置２０に電気錠アドレスを指定した解錠指示信号又は施錠指示信号を送信することにより、操作された扉１０の電気錠１２を遠隔により解錠または施錠させる制御を行う。
【００６９】
また、二次元コード１５に一時解錠コマンドがコード化されている場合には、監視制御部４６は監視画像の中の二次元コード１５から復元して表示されている一時解除コマンドのマウスクリックを検出した場合に、図１に示したＬＡＮ回線３６を介して入退出管理制御装置２０に電気錠アドレスを指定した一時解錠指示信号又は施錠指示信号を送信することにより、操作された扉１０の電気錠１２を遠隔により解錠した後に一定時間が経過したら施錠させる制御を行う。
【００７０】
（扉の開閉検出による監視）
監視カメラ制御装置２６の監視制御部４６は、図１に示した扉１０に設けられた開閉検出器１６による扉の開閉状態をＬＡＮ回線３６を介して入退出管理制御装置２０から取得しており、電気錠１２の施錠状態と解錠状態及び扉１０の開放状態と閉鎖状態から出入口に設置された扉１０を含む監視領域が異常か否かを判定し、異常を判定した場合は異常を報知させる制御を行う。
【００７１】
即ち、監視制御部４６は、電気錠１２が解錠された状態で扉１０の開放が所定時間を超えて継続した場合、又は、電気錠１２が施錠された状態で扉１０の開放が検出された場合に異常を判定して報知させる制御を行う。ここで、電気錠１２が解錠された状態で扉１０の開放が所定時間を超えて継続した場合とは、例えば、出入口の扉から長時間開放しっぱなしとなっている場合等であり、また、電気錠１２が施錠された状態で扉１０の開放が検出された場合とは、扉がこじ開けられたか、風圧により閉まっていない場合等がある。
【００７２】
このように監視領域における扉１０の異常が判別された場合、監視制御部４６は音と表示により警報を出力させると共にモニタ装置３０に異常が判定された監視領域の監視カメラ１８に切り替えて監視画像を表示させる制御を行い、担当者に異常と判定された監視領域の監視画像による確認を可能とする。
【００７３】
（監視カメラのシンボル表示による画像切替え）
監視カメラ制御装置２６の監視制御部４６は、例えば，担当者が監視カメラ１８を切り替えたい場合、二次元コードが設けられた扉を撮像している監視カメラを示すカメラシンボルが配置された施設地図をモニタ装置３０に画面表示し、カメラシンボルのマウスクリック等による選択操作が検出された場合に、カメラシンボルに対応する監視カメラ１８の監視画像をモニタ装置３０に切り替え表示し、扉１０に設けられた二次元コード１５に基づく扉管理情報を表示させる制御を行う。
【００７４】
図５は監視カメラの切り替えに使用するカメラ切替画面の一例を示した説明図である。図５に示すように、モニタ装置３０には必要に応じてカメラ切替画面７１が表示されており、カメラ切替画面７１には建物の出入口に設けられた扉に対し監視カメラが設置されていることから、設置されている監視カメラを示すカメラシンボル７２−１〜７２−４が表示されている。また、カメラシンボル近傍にそれぞれ対応する監視カメラの名称を表示するようにしても良い。
【００７５】
監視カメラ制御装置２６の監視制御部４６は、カメラ切替画面７１の中のカメラシンボル７２−１〜７２−４の何れかのクリック操作を検出した場合、図１に示すＬＡＮ回線３６を介して録画装置２８にカメラ切替指示信号を送信する制御を行い、録画装置２８はカメラ切替指示信号により指示された監視カメラ１８からの画像信号に切り替えて監視カメラ制御装置２６に出力させる制御を行う。
【００７６】
カメラシンボル７２−１は図３の監視画像を撮影する監視カメラ１８に対応しており、クリック操作を検出した場合、図３のように監視画像を含めた監視画面が表示される。この監視画面内もしくは監視画面周囲には監視カメラ名称と、カメラ切替画面に戻るボタンが表示される。
【００７７】
なお、図５に示したカメラ切替画面７０は、モニタ装置３０ではなく、監視制御部４６の表示部５２となるディスプレイに表示してカメラシンボルをクリックし、モニタ装置３０の監視画面を切り替えるようにしても良い。
【００７８】
［連携監視設備の制御動作］
図６は監視カメラ制御装置による連携監視設備の制御動作を示したフローチャートであり、図２に示した監視カメラ制御装置２６の監視制御部４６による制御動作となる。
【００７９】
図６に示すように、監視制御部４６はステップＳ１でモニタ装置３０を図５に示したように、カメラシンボル７２−１〜７２−４が配置された施設図面を示すカメラ切替画面７０を表示しており、ステップＳ２で特定のカメラシンボルの操作ありが判別されるとステップＳ３に進み、録画装置２８に対するカメラ切替指示信号の送信により、操作したカメラシンボル７２−１〜７２−４に対応した監視カメラ１８で撮像されたカメラ画面への切り替えを指示し、これによりモニタ装置３０の監視画面が切り替わる。
【００８０】
続いて監視制御部４６はステップＳ４に進み、切り替えた監視画面に映っている扉に二次元コードがあるか否かを判別し、二次元コードありを判別した場合はステップＳ５に進んで二次元コードを解読し、ステップＳ６で二次元コードの解読で得られた扉管理情報として、扉名称、電気錠アドレス、動作状態、施錠と解錠の操作コマンドを、モニタ装置３０の監視画面内の扉に対応して表示させる。
【００８１】
続いて、監視制御部４６はモニタ装置３０の監視画面に表示されている操作コマンドによる施錠又は解錠操作が判別されるとステップＳ８に進み、入退出管理制御装置２０に解錠指示信号又は施錠指示信号を送信し、電気錠を遠隔的に制御する。
【００８２】
続いて監視制御部４６はステップＳ９に進み、入退出管理制御装置２０から取得した電気錠１２の施錠又は解錠状態と開閉検出器１６により検出している扉１０の開閉状態とに基づき、扉を含む監視領域の状態を判定し、電気錠１２が解錠された状態で扉１０の開放が所定時間を超えて継続した場合、又は、電気錠１２が施錠された状態で扉１０の開放が検出された場合にステップＳ１０で異常を判定し、ステップＳ１１で判定した異常を音と表示により報知させ、更に、モニタ装置３０を異常を判定した監視画面に切り替える。
【００８３】
続いて、監視制御部４６はステップＳ１２で画面切替操作の有無を判別しており、画面切替操作ありを判別するとステップＳ１に戻って施設地図にカメラシンボルを示したカメラ切替画面を切り替え表示し、次のカメラシンボルの操作を待つ。
【００８４】
［本発明の変形例］
（情報体）
上記の実施形態では、情報体は二次元コードを採用しているが、公知の二次元コードではなく、平面上の図形によるものとしても良い。例えば、１以上のラインと色、太さ等の組み合わせにより構成し、当該図形と図形の示す内容、例えば扉名称を記憶したカメラ制御装置によりシステムを構成しても良い。監視カメラで当該図形を認識すると、カメラ制御装置側で図形の示す内容を認識し、モニタ装置に表示させる。この方法によれば、図形の示す内容は未知であるため、情報体の示す内容を読み取られることがない。また、カメラ制御装置に記憶された図形の示す内容をカメラ制御装置にアクセスして変更することで、場所名等の変更が可能となる。これにより、情報体の変更なしにモニタ装置に表示する内容を変更可能となる。
【００８５】
（二次元コード）
建物の出入口の扉に設ける二次元コードとしては、可視光領域外の波長光、例えば赤外線を反射する不可視材料、例えば赤外線インクを使用した印刷により形成しても良い。この場合、監視カメラは可視光領域外の波長光となる赤外線画像を撮像可能のものを使用する。
【００８６】
このため赤外線インクにより印刷された二次元コードが汚れたり、火災による煙があっても、監視カメラにより撮像した赤外線画像の二次元コードを解読して扉名称や電気錠アドレスを画面表示でき、また、扉の二次元コードは目視されないことから、施設の美観上の自由度を妨げることがない。
【００８７】
（二次元コードの貼り付け性）
二次元コードとしては、施工時における扉の移動、運用時での場所名や扉名での変更に対応するため、貼り直し自在であることが望ましい。例えば、貼り直し可能な接着剤を裏面に塗布したものや、マグネットシート等の素材等を採用しても良い。
【００８８】
（監視画像の切り替え）
上記の実施形態は、複数の監視カメラで撮像された監視画像の切り替えを録画装置から出力する画像信号により切り替えているが、これに限定されず、録画装置を経由せずに監視カメラからの映像信号を直接切り替えるようにしても良い。
【００８９】
（監視カメラ）
上記の実施形態は、固定設置される監視カメラを例にとっているが、これに限定されず、パン、チルト、及びズームの機能を備えた監視カメラとしても良く、この場合には、監視カメラの走査中に二次元コードを配置された扉の画像が表示された場合に、二次元コードを解読して扉管理情報を表示するようにしても良い。
【００９０】
（扉名称と電気錠アドレスの記憶）
上記の実施形態は、扉に配置した二次元コードの解読により扉名称と電気錠アドレスを取得しているが、一度取得した扉名称と電気錠アドレスについて、監視カメラ制御装置に設けた記憶部に記憶させるようにしても良い。このように記憶することで、一度記憶した情報と最新の読取結果に齟齬があった場合、読み取り間違いか、コードの変更があったのか確認可能となり、誤解読による誤った表示を防止することができる。
【００９１】
また、監視カメラと扉名称及び電気錠アドレスを対応させて記憶させるようにしても良い。このように記憶することで、カメラ切替画面において監視カメラを選択するとカメラに対応する扉名称リストを表示可能となる。このような扉名称リストの表示により、扉を制御するためにどの監視カメラ画像を確認すればよいか理解できるようになるため、監視カメラ画像に都度遷移しながら確認する手間がなくなる。また、カメラ切替画面上のリストから操作可能としても良い。
【００９２】
（電気錠の遠隔制御）
上記の実施形態は、扉に配置した二次元コードの解読により電気錠の操作コマンドを画面表示し、操作コマンドの画面操作を検出した場合に電気錠を遠隔制御しているが、これに限定されず、二次元コードは扉名称と電気錠アドレスのみをコード化し、監視カメラの画像による二次元コードの解読により扉名称と電気錠アドレスを画面表示し、電気錠の遠隔制御は、画面表示された電気錠アドレスを担当者の操作によりモニタ画面を見て入力して解錠指示信号又は施錠指示信号を入退出管理制御装置に送信して遠隔制御しても良い。
【００９３】
また、扉を識別する情報のみをコード化し、扉名称や電気錠アドレスは監視カメラ装置内に記憶部を設け、該記憶部に扉を識別する情報と扉名称と電気錠アドレスを対応付けて記憶させるようにしても良い。
【００９４】
（扉以外の遠隔制御）
上記の実施形態は、扉に配置した二次元コードの解読により電気錠の操作コマンドを画面表示し、操作コマンドの画面操作を検出した場合に電気錠を遠隔制御しているが、これに限定されず、画面表示及び遠隔制御の対象を扉以外のものにしても良い。例えば、空調設備や照明設備に配置した二次元コードの解読により、設備名称と操作コマンドを画面表示し、遠隔制御しても良い。この際、監視カメラシステムは空調設備や照明設備を制御する施設制御システムと連携して動作する。上記内容により、警備員が空室を確認したうえで空調や照明のＯＦＦすることが可能となり、閉館時の見回り等の手間を減じることが可能となる。
【００９５】
（その他）
また，本発明は、その目的と利点を損なうことのない適宜の変形を含み、更に上記の実施形態に示した数値による限定は受けない。
【符号の説明】
【００９６】
１０，１０−１〜１０−３：扉
１２：電気錠
１４：カードリーダ
１５，１５−１〜１５−３：二次元コード
１６：開閉検出器
１８：監視カメラ
２０：入退出管理制御装置
２２：センター装置
２４：クライアント装置
２６：監視カメラ制御装置
２８：録画装置
３０：モニタ装置
３２：火災受信盤
３４：火災感知器
３６：ＬＡＮ回線
４６：監視制御部
５０：モニタ入出力部
５２：表示部
５４：操作部
５６：データベース
６０：監視画面
６２：扉名称
６４：電気錠アドレス
６６：解錠コマンド
６８：施錠コマンド
７０−１〜７０−３：扉管理情報
７１：カメラ切替画面
７２−１〜７２−３：カメラシンボル
【図１】
2018191019.tif 000003
【図２】
2018191019.tif 000004
【図３】
2018191019.tif 000005
【図４】
2018191019.tif 000006
【図５】
2018191019.tif 000007
【図６】
2018191019.tif 000008